(57)【要約】      （修正有）【課題】遠心動力発電システムを提供する。【解決手段】遠心動力発電システムは、動力アッセンブリ１００、遠心アッセンブリ３００、梃アッセンブリ２００、および伝動発電アッセンブリ４００を備える。動力アッセンブリ１００は、動力の提供に用いられ、電源と電気的に接続するモータを有し、モータによって次級のユニットを動かす。梃アッセンブリ２００は、動力アッセンブリ１００に接続され、動力アッセンブリ１００の動力を伝達する重力アッセンブリを有し、梃の原理により動力アッセンブリ１００の動力を増大させる。遠心アッセンブリ３００、梃アッセンブリ２００に接続され、梃アッセンブリ２００のねじりにより動く重りが外端に設けられ、中心の下側に設けられる支持点を３６０度の回転可能である。伝動発電アッセンブリ４００は、遠心アッセンブリ３００に接続される発電機が設けられる。【選択図】図２Ａ
0003180666.tif 000002
【実用新案登録請求の範囲】
【請求項１】
動力の提供に用いられ、電源と電気的に接続するモータを有し、当該モータによって次級のユニットを動かす動力アッセンブリと、
前記動力アッセンブリに接続され、前記動力アッセンブリの動力を伝達する重力アッセンブリを有し、梃の原理により前記動力アッセンブリの動力を増大させる梃アッセンブリと、
前記梃アッセンブリに接続され、前記梃アッセンブリのねじりにより動く重りが外端に設けられ、中心の下側に設けられる支持点を３６０度の回転可能である遠心アッセンブリ、
前記遠心アッセンブリに接続される発電機が設けられ、前記遠心アッセンブリの遠心力のねじりが前記発電機に伝送されることにより前記発電機の回転軸を動かす伝動発電アッセンブリと、を備え、
機械エネルギーを増幅し、機械エネルギーを電気エネルギーに転換する遠心動力発電システム。
【請求項２】
前記動力アッセンブリは、上枠板をさらに備え、前記モータへ電力を供給する前記電源が設けられ、前記モータが前記上枠板の上側に設けられていることを特徴とする請求項１記載の遠心動力発電システム。
【請求項３】
前記梃アッセンブリは、横棒、梃、重いボール、および中枠板を有し、
当該横棒の一端から上軸が延伸され、当該上軸は軸受けによって前記上枠板に支えられ、前記横棒を支持し、前記上軸の上端は前記モータの前記回転軸に接続され、前記モータが駆動されると前記回転軸及び前記上軸を介して前記横棒が回転し、
前記梃の上端はベアリングを介して前記横棒の縁に接続され、前記横棒が回転すると前記梃が動かし、前記横棒に伴って３６０度の回転を行い、前記梃の中間端は拡大したボールが形成され、
拡大されたボールが碗状座に設置され、前記梃は、前記ボールの下に延伸する個所から、前記碗状座の中央に形成された孔を貫通して下へ延伸され、前記梃が横棒に伴って回転した場合、前記碗状座は前記ボールを支え、前記梃全体は前記ボールを中心として回転し、
使用時、前記碗状座は前記中枠板に取り付け可能であり、
前記重いボールと前記梃の下端とはワイヤロープによって接続されることを特徴とする請求項２記載の遠心動力発電システム。
【請求項４】
前記中枠板はスチールガーダーから形成された枠であることを特徴とする請求項３記載の梃遠心動力発電システム。
【請求項５】
前記梃の下端に活動環が連結され、
前記梃が回転すると、前記梃の下端は、前記活動環及び前記ワイヤロープを介して前記重いボールを動かし、
前記活動環は、前記ワイヤロープが回転によって纏い付くことを抑制することを特徴とする請求項３記載の遠心動力発電システム。
【請求項６】
前記重いボールは、金属のボールであることを特徴とする請求項３記載の遠心動力発電システム。
【請求項７】
前記遠心アッセンブリは、少なくとも一本の遠心棒および下軸を有し、前記遠心棒の一端には前記重りが設けられ、一つの前記重りは前記ワイヤロープにより前記重いボールに接続され、前記重いボールが回転すると、前記重りが回転し、
前記下軸は、一端が前記遠心アッセンブリの中心に設けられ、他端が軸受けを介して下固定座内に回転可能に組み付けられることを特徴とする請求項３記載の遠心動力発電システム。
【請求項８】
前記遠心アッセンブリは、二本の前記遠心棒を有し、二本の前記遠心棒は直交することを特徴とする請求項７記載の遠心動力発電システム。
【請求項９】
前記伝動発電アッセンブリは、歯車セット、駆動フライホイール、および発電機を有し、
前記歯車セットは、前記下軸に接続される縦方向歯車および前記駆動フライホイールに接続される横方向歯車を有し、前記縦方向歯車と前記横方向歯車とは互いに係合し、
前記駆動フライホイールは、前記横方向歯車と接続する駆動軸を有し、外縁にはフライホイールベルトが取り付けられ、
前記発電機は、一端が前記フライホイールベルトに接続される軸を有し、前記フライホイールベルトにより前記軸が回転することにより電力を発生することを特徴とする請求項７記載の遠心動力発電システム。
【請求項１０】
前記歯車セットの前記縦方向歯車および前記横方向歯車は、傘型歯車であることを特徴とする請求項９記載の遠心動力発電システム。
【考案の詳細な説明】
【技術分野】
【０００１】
本考案は発電システム（ｓｙｓｔｅｍ）に関し、特に遠心動力発電システムに関するものである。
【背景技術】
【０００２】
従来の発電機、例えば風力発電機は３−５Ｔを発生することができ、火力発電機は１０−２０Ｔを発生することができ、太陽熱発電機は５Ｔを発生することができ、原子力タービン（ｔｕｒｂｉｎｅ）は３０−５０Ｔを発生することができる。発電機はすべて多くのエネルギーや動力を消耗してから電力を発生するので、もし膨大なエネルギーを消耗しなくても充分な電力を発生することができるなら、高い実用性をもたらすことができる。
【０００３】
従来の発電構造は、膨大な発電工場を設置する必要があり、発電設備の構造も複雑であり、専門の設計と膨大な資本が必要であり、それは一般中小企業が負担できるものではない。太陽熱発電或いは風力発電は小型電力の需要に適できるが、太陽熱発電は、大きな面積を必要し、かつ日照量とも関連している。また、太陽熱発電のコスト（ｃｏｓｔ）は現在の石油化学を来源として用いられる火力発電よりはるかに高い。風力発電も設置地点の制限や、風の影響を受け、発生する電力も限度がある。
【０００４】
特許文献１および２に記載の発明は、出力に限度があって大きな電力を発生することができない。
【先行技術文献】
【特許文献】
【０００５】
【特許文献１】台湾特許第１００２０９２４４号明細書
【特許文献２】台湾特許第１００２０９２４１号明細書
【考案の概要】
【考案が解決しようとする課題】
【０００６】
ここで、元来のフライホイール（ｆｌｙ  ｗｈｅｅｌ）装置の外に別の動力装置を付け加えることを思案し、それによって大きな動力が発生し、より大きな電力を発生して従来のエネルギーを入れ替える目的を達成しようとしている。
本考案の目的は、遠心動力発電システムを提供することにある。
【課題を解決するための手段】
【０００７】
本考案は、による遠心動力発電システムは、動力アッセンブリ、遠心アッセンブリ、梃アッセンブリ、および伝動発電アッセンブリを備える。動力アッセンブリは、動力の提供に用いられ、電源と電気的に接続するモータを有し、モータによって次級のユニットを動かす。梃アッセンブリは、動力アッセンブリに接続され、動力アッセンブリの動力を伝達する重力アッセンブリを有し、梃の原理により動力アッセンブリの動力を増大させる。遠心アッセンブリ、梃アッセンブリに接続され、梃アッセンブリのねじりにより動く重りが外端に設けられ、中心の下側に設けられる支持点を３６０度の回転可能である。伝動発電アッセンブリは、遠心アッセンブリに接続される発電機が設けられ、遠心アッセンブリの遠心力のねじりが発電機に伝送されることにより発電機の回転軸を動かす。これにより、機械エネルギーを増幅し、機械エネルギーを電気エネルギーに転換する。
また、梃遠心動力の方式を用いて電力出力を大きくし、並びに前記動作を繰り返し循環させれば持続に発電することができ、かつシステムの長所は用地面積が小さく、安全で汚染がない、発生する電圧が安定し、周波数が平穏でコストが低いことである。
【図面の簡単な説明】
【０００８】
【図１】本考案の一実施形態を示す模式図である。
【図２Ａ】本考案の一実施形態を示す模式図である。
【図２Ｂ】本考案の一実施形態を示す斜視図である。
【図３】本考案の一実施形態を示す要部拡大図である。
【考案を実施するための形態】
【０００９】
本考案の実施形態を図面に基づいて説明する。
（一実施形態）
図１は本考案の一実施形態の遠心動力発電システムを示す。
動力アッセンブリ１００は、動力を提供するものであり、外部から電源をモータ（ｍｏｔｏｒ）まで引きつなぎ、電源によってモータを起動し、モータによって次級のエレメント（ｅｌｅｍｅｎｔ）を動かす。
【００１０】
電源２は、電力をモータへ提供し、システム全体の動力とする。
モータ３はモータ軸３０が設けられ、上枠板１００の上側に設置されている。
【００１１】
梃アッセンブリ２００は、動力アッセンブリに接続され、動力アッセンブリの動力を重力アッセンブリへ伝送し、その全体的力のモーメント（ｍｏｍｅｎｔ）を拡大し、動力の出力を大きくする。
【００１２】
横棒５は、一端に上軸４が設けられ、上軸は軸受け４１によって上枠板１００に支えられ、横棒５を支持する。上軸４の上端はモータ３の軸３０に接続され、モータが始動されると軸３０及び上軸４を介して横棒５を動かし回転させる。
【００１３】
梃６は、錐形に形成される（ただし本考案はこの形態に限らない）。梃６の上端はベアリング（ｂｅａｒｉｎｇ）６０を介して横棒５の縁に接続され、横棒５が回転すると梃６を動かし、横棒５に伴って３６０度の回転を行うことができる。梃６の中間端は拡大したボール（ｂａｌｌ）６１に形成される。
【００１４】
組立時、拡大されたボール６１を碗状の座２１０に設置し、梃６はボール６１の下に延伸する個所から、碗状座の中央に形成される孔２１１を貫通して下へ延伸する。そのために梃６が横棒５に伴って回転した場合、碗状の座２１０はボール６１を支えて、梃６全体はボール６１を中心として回転する。使用時、碗状の座２１０を中枠板２００（型鋼から形成された枠でもよい）に取り付けてもよい。
梃６の下端には活動環７が連結される。
【００１５】
重いボール９は鉄ボール、スチールボール（ｓｔｅｅｌ  ｂａｌｌ）または其の他金属のボールでもよい。重いボール９はワイヤロープ（ｗｉｒｅ  ｒｏｐｅ）８によって活動環７と梃６の下端を介して活動式の連結を行い、それによって梃６が回転すると梃６の下端は活動環７と梃６を介して重いボール９を動かす。活動環７は、ワイヤロープ８が回転によって全体が纏い付かないよう設けられている。本実施形態の重いボール９は重さ１−１００Ｔまたは更に大きな鉄ボールでもよい。
【００１６】
遠心アッセンブリ３００は、梃アッセンブリに接続され、梃アッセンブリのねじりは遠心アッセンブリ３００の外端の重りを動かす。遠心アッセンブリ３００は、中心の下側が支えられている。遠心アッセンブリ３００は支持点に沿って３６０度の回転を行うことができる。遠心アッセンブリ３００の外縁には重り１１１が取り付けられ、それによって回転時は大きなねじりが発生する。
【００１７】
本実施形態に於いて、遠心アッセンブリ３００は少なくとも一本の遠心棒１１２から構成され、本実施形態では遠心アッセンブリ３００は二本の遠心棒１１２から構成されているが、それは本考案の範囲を制限するものではない。二本の遠心棒１１２は互いに直交する。各遠心棒１１２の一端には重り１１１を備え、その中の一つの重り１１１はワイヤロープ８によって重いボール９に連結される。重いボール９が回転すると、連結された重り１１１も伴って回転し、全体的遠心アッセンブリ３００は動かされて回転する。本実施形態における重り１１１は重さ１−１０Ｔの鉄ボールである。
【００１８】
下軸１２の一端は遠心アッセンブリ３００の中心個所に連結され、下軸１２の他端は下固定座内に組み付けられ、内部には軸受けが設置され、下軸１２と下固定座は回転することができる。
伝動発電セット（ｓｅｔ）４００は遠心アッセンブリ３００に連結され、遠心アッセンブリの遠心力に引き起こされたねじりを発電機に伝送し、その発電機の軸を動かして発電する。その動力発電アッセンブリの説明は次の如くである。
【００１９】
下軸には歯車セット１２１が接続され、歯車セットは縦方向歯車と横方向歯車とが係合することにより構成され、駆動軸１２２の一端に接続される。
【００２０】
駆動フライホイール１３は、駆動軸１２２の他端に連結され、かつ駆動フライホイールの外縁にはフライホイールベルト（ｂｅｌｔ）１３１が取り付けられる。駆動軸１２２は、駆動フライホイールを駆動して廻し、フライホイールベルトを動かす。
発電機１４の軸はフライホイールベルトに接続され、フライホイールベルトが回転すると発電機１４の軸が回転し発電機は電力を発生する。
【００２１】
本実施形態では、モータが横棒構造を動かし、横棒構造から更に梃を駆動し、梃原理を利用し、次級の重いボールを動かす。それから重いボールが遠心アッセンブリを動かし、遠心力を利用して軸下側の伝動発電セットを回し、動力を発電機に伝送して電気エネルギーに転換する。したがって、機械エネルギーを拡大し、その拡大した機械エネルギーを電気エネルギーに転換し、大きな電力を発生することができる。本発電システムの長所は用地面積が小さく、安全で汚染がない。また、発生する電圧が安定し、周波数が平穏でコストが低いので、従来の発電動力源の代わりに使うことができる。
【００２２】
本発明は、上述した実施形態に限定されるものではなく、発明の趣旨を逸脱しない範囲で種々の形態で実施可能である。
【符号の説明】
【００２３】
１００：動力アッセンブリ、
２００：梃アッセンブリ、
３００：遠心アッセンブリ、
４００：伝動発電アッセンブリ。
【図１】
0003180666.tif 000003
【図２Ａ】
0003180666.tif 000004
【図２Ｂ】
0003180666.tif 000005
【図３】
0003180666.tif 000006